(57)【要約】      （修正有）【課題】主役である新郎や新婦自身の演出効果を高めることができ、しかも、安全で時間的な調整も容易に行える演出用小槌及び演出用小槌を使用した演出装置を提供する。【解決手段】演出用小槌１０の頭部１１の一方の小口から頭部の内部に至る収納部を形成する。収納部内に、砕かれたドライアイスＰ１や装飾用小物Ｐ２等の振出小物Ｐを収納する。小口の下端部から開口部１３の一部を覆う制止板を設ける。開口部１３の上端部から小口の前方に向けて延長される方向板を設ける。これら制止板と方向板とで構成した振出調整具１５にて、振出小物Ｐの振出方向及び振出量を規制する。演出用小槌１０に収納された振出小物Ｐを小口の開口部１３から振り出す。【選択図】図１
0003154898.tif 000002
【実用新案登録請求の範囲】
【請求項１】
頭部の一方の小口から頭部の内部に至る収納部が形成された演出用小槌であって、該収納部内に収納された演出用又は装飾用の振出小物を小口の開口部から振り出すように構成され、該開口部に振出小物の振出方向及び振出量を規制する振出調整具を備えたことを特徴とする演出用小槌。
【請求項２】
前記振出小物は、砕かれたドライアイスからなる演出用小物、又は花びら紙吹雪等からなる装飾用小物のいずれか、若しくは両方とし、前記振出調整具は、前記小口の下端部から前記開口部の一部を覆うように設けられて前記振出小物の振出量を規制する制止板と、前記開口部の上端部から該小口の前方に向けて延長されて前記振出小物の振出方向を規制する方向板とで構成された請求項１記載の演出用小槌。
【請求項３】
小槌の頭部内からドライアイスを振り出すように構成された演出用小槌を使用する演出装置であって、ドライアイスを昇華させて煙を発生せしめる液体を入れた演出用容器と、該演出用容器内に投入される発光体とを備え、前記演出用小槌から振り出されたドライアイスが演出用容器内で昇華して煙が発生すると共に、該演出用容器の温水内に投入された発光体で演出用容器内の温水及び煙が変化自在な色彩を帯びるように構成されたことを特徴とする演出用小槌を使用した演出装置。
【考案の詳細な説明】
【技術分野】
【０００１】
本考案は、例えば結婚式の披露宴等で使用する演出用小道具及び演出装置に係り、特に主役の演出効果を高め、縁起のよい演出を提供することができる演出用小槌及び演出用小槌を使用した演出装置に関するものである。
【背景技術】
【０００２】
結婚式の披露宴等において、蝋燭に火を燈すキャンドルサービスの代わりに、火気を用いる必要のない演出をする演出装置が提案されている。例えば、特許文献１に記載の演出装置では、テーブルにグラス容器を配置し、注入用容器内に入れた化学発光剤の液体を、注入容器の注ぎ口からグラス容器内に少しずつ充填し、グラス容器を発光させることで、蝋燭に火を燈すキャンドルサービスに代わる演出を提供するものである。
【０００３】
一方、特許文献２に記載されている演出装置は、特許文献１を改良した演出装置であり、化学発光剤の液体を注入容器の注ぎ口からグラス容器内に充填すると、透明容器内の溶液の色が変化すると共に、この透明容器の内部から白煙が放出される装置である。この演出装置によると、周辺の雰囲気を劇的に変化させるような華やかな演出効果を期待するものである。
【先行技術文献】
【特許文献】
【０００４】
【特許文献１】特開平１０−１７２３０１号公報
【特許文献２】特開２００７−１２２８８７号公報
【考案の概要】
【考案が解決しようとする課題】
【０００５】
ところが前記特許文献の各演出装置は、いずれもテーブル上に設置したグラス容器内の液体等が劇的に変化する趣向になっているため、蝋燭に火を燈すキャンドルサービスに比べて、披露宴の主役である新郎や新婦の印象が薄くなる傾向にあった。すなわち、このグラス内の液体は、別の容器に収納された液体を注ぐだけで化学薬品が反応する趣向なので、新郎や新婦が液体を注ぐ際の動作は、ほぼ静止状態になる。一方、演出用のグラスは、液体を注ぐと劇的に変化するものである。
【０００６】
そのため、披露宴の主役である新郎や新婦よりも脇役の演出装置自体が注目される傾向にあった。したがって、これら従来の演出装置は、演出用のグラス容器内を劇的に変化させるほど主役が引き立たなくなるといった不都合が生じる。
【０００７】
一方、蝋燭に火を燈す従来のキャンドルサービスでは、蝋燭に点火するまでの新郎新婦の動作や、この際に生じる小さなハプニングなどを含め、主役の一挙手一投足に注目が集まるといった演出効果を期待することができる。しかしながら、火を使用するので危険であること。あるいはすべてのテーブルの蝋燭に点火するまで時間がかかることなどの課題があった。
【０００８】
そこで本考案は、上述の課題を解消すべく案出されたもので、新郎や新婦等の主役自体の演出効果を高めることができ、しかも、安全で時間的な調整も容易に行える演出用小槌及び演出用小槌を使用した演出装置の提供を目的とするものである。
【課題を解決するための手段】
【０００９】
上述の目的を達成すべく本考案における第１の手段は、頭部１１の一方の小口１２から頭部の内部に至る収納部１４が形成された演出用小槌１０であって、該収納部１４内に収納された演出用又は装飾用の振出小物Ｐを小口１２の開口部１３から振り出すように構成され、該開口部１３に振出小物Ｐの振出方向及び振出量を規制する振出調整具１５を備えた演出用小槌にある。
【００１０】
第２の手段の前記振出小物Ｐは、砕かれたドライアイスＰ１からなる演出用小物、又は花びら紙吹雪等からなる装飾用小物Ｐ２のいずれか、若しくは両方とし、前記振出調整具１５は、前記小口１２の下端部から前記開口部１３の一部を覆うように設けられて前記振出小物Ｐの振出量を規制する制止板１５Ａと、前記開口部１３の上端部から該小口１２の前方に向けて延長され前記振出小物Ｐの振出方向を規制する方向板１５Ｂとで構成された演出用小槌である。
【００１１】
第３の手段は、小槌の頭部１１内からドライアイスＰ１を振り出すように構成された演出用小槌１０を使用する演出装置であって、ドライアイスＰ１を昇華させて煙を発生せしめる液体を入れた演出用容器２０と、該演出用容器２０内に投入される発光体２１とを備え、前記演出用小槌１０から振り出されたドライアイスＰ１が演出用容器２０内で昇華して煙が発生すると共に、該演出用容器２０の温水内に投入された発光体２１で演出用容器２０内の温水及び煙が変化自在な色彩を帯びるように構成された演出装置にある。
【考案の効果】
【００１２】
本考案の請求項１の如く、収納部１４内に収納された演出用小物や装飾用小物Ｐ２からなる振出小物Ｐを小口１２の開口部１３から振り出すように構成し、該開口部１３に振出小物Ｐの振出方向及び振出量を規制する振出調整具１５を備えたことにより、演出用小槌１０から適当な量の振出小物Ｐを任意の方向へ振り出すことができる。この結果、各種パーティーの余興等に使用することが可能になった。
【００１３】
また、結婚式の披露宴で新郎や新婦がこの演出用小槌１０を使用して振出小物Ｐを振り出すと、あたかも打出の小槌のごとき縁起の良い演出をすることができ、主役である新郎や新婦自身の演出効果を高めることができる。
【００１４】
請求項２のように、演出用小槌１０から振り出される振出小物Ｐがドライアイスからなる演出用小物の場合は、このドライアイスを利用した各種の演出が可能になる。例えば、ドライアイスを昇華させるような演出装置と組み合わせて使用することにより、主役を引き立てる演出から、その場を劇的に変化させるような演出に効果的に連続させることが可能になる。
【００１５】
また、振出小物Ｐが花びら紙吹雪等からなる装飾用小物の場合は、あたかも打ち出の小槌から花びらなどを振り出すような美しい演出効果を期待できる。
【００１６】
しかも、前記振出調整具１５は、前記小口１２の下端部から前記開口部１３の一部を覆うように設けられて前記振出小物Ｐの振出量を規制する制止板１５Ａと、前記小口１２の上端部から該小口１２の前方に向けて延長されて前記振出小物Ｐの振出方向を規制する方向板１５Ｂとで構成しているので、振出小物Ｐの振出量や振出方向をコントロールすることが可能になる。この結果、様々な振出小物Ｐを意のままに振り出すことが可能になり、また、演出の時間的な調整も容易に行えるものになる。
【００１７】
請求項３のように、ドライアイスを昇華させて煙を発生せしめる液体を入れた演出用容器２０と、該演出用容器２０内に投入される発光体２１とを備え、演出用小槌１０から振り出されたドライアイスが演出用容器２０内で昇華して煙が発生すると共に、該演出用容器２０の温水内に投入された発光体２１で演出用容器２０内の温水及び煙が変化自在な色彩を帯びるように構成されたことで、前記特許文献に記載されているような場の雰囲気を劇的に変化させる演出が可能になる。
【００１８】
しかも、この場合、主役が演出用小槌１０から振り出す行為自体が、場の雰囲気を劇的に変化させる演出につながることになる。この結果、前記特許文献のように、演出用のグラス容器内を劇的に変化させるほど主役が引き立たなくなるといった不都合はなくなり、むしろ、主役の力で劇的変化を起こしたかの如き演出になるため、劇的な変化が大きくなるほど主役の演出効果を高めることができる。
【図面の簡単な説明】
【００１９】
【図１】本考案の使用状態の一実施例を示す斜視図である。
【図２】本考案演出用小槌の一実施例を示す断面図である。
【図３】本考案演出用小槌の開口部を示す正面図である。
【考案を実施するための形態】
【００２０】
このように本考案によると、主役である新郎や新婦自身の演出効果を高めることができ、しかも、安全で時間的な調整も容易に行える演出用小槌及び演出用小槌を使用した演出装置の提供が可能になるといった目的を実現した。
【実施例】
【００２１】
以下、本考案の一実施例を説明する。本考案は、演出用小槌１０と、この演出用小槌１０を使用する演出装置とを備えている。
【００２２】
演出用小槌１０は、頭部１１の一方の小口１２から頭部の内部に至る収納部１４が形成されたもので、この収納部１４内に振出小物Ｐを収納し、この振出小物Ｐを小口２の開口部３から振り出すように構成されている（図２参照）。
【００２３】
この振出小物Ｐは、演出用小物又は装飾用小物Ｐ２のいずれか、若しくは両方を収納する。演出用小物は、例えば８〜１０ｍｍほどに砕かれたドライアイスＰ１を使用する。また、振出小物Ｐは、例えば花びらや紙吹雪等を使用するものである。
【００２４】
また、収納部１４にドライアイスＰ１を入れる場合は、この収納部１４の内周面に保温材１６を装着することで、ドライアイスＰ１の収納時間を保つことができる（図２参照）。
【００２５】
一方、演出用小槌１０の開口部１３に、これら振出小物Ｐの振出方向及び振出量を規制する振出調整具１５を備えている。この振出調整具１５は、制止板１５Ａと方向板１５Ｂとで構成している。
【００２６】
制止板１５Ａは、前記小口１２の下端部から前記開口部１３の一部を覆うように設けられたもので、前記振出小物Ｐの振出量を規制する。
【００２７】
方向板１５Ｂは、開口部１３の上端部から該小口１２の前方に向けて延長されたもので、前記振出小物Ｐの振出方向を規制する。
【００２８】
図示例の振出調整具１５では、直径４２ｍｍの開口部１３に対して最大幅（Ｈ）を１５ｍｍとした制止板１５Ａを略三日月状に形成している（図２参照）。このように形成することで、収納部１４内の振出小物Ｐが一度に出ることなく、何度も振り分けて排出することが可能になる。
【００２９】
また、図示の方向板１５Ｂは、開口部１３の円周に沿った略つば状を成している（図３参照）。このような方向板１５Ｂにより、振出小物Ｐの排出方向を容易にコントロールすることができる。
【００３０】
このように、本考案演出用小槌１０は、この演出用小槌１０を振ることで、頭部１１の収納部１４に収納したドライアイスＰ１や装飾用小物Ｐ２が開口部１３から振り出されるものであり、この動作により、あたかも打ち出の小槌を振り出しているが如き演出効果を期待することができる。
【００３１】
本考案演出装置は、この演出用小槌１０を使用する装置である。すなわち、小槌の頭部１１内からドライアイスＰ１を振り出すように構成された演出用小槌１０である。
【００３２】
演出装置は、温水等の液体を入れた演出用容器２０と、該演出用容器２０内に投入される発光体２１とで構成されている。
【００３３】
演出用容器２０は、ドライアイスＰ１を入れて昇華させ、煙を発生せしめるもので、内部に温水を溜めている。そして、演出用小槌１０から振り出されたドライアイスＰ１が演出用容器２０内に投入されると、演出用容器２０から煙が発生してテーブル周辺に漂う状態になる（図１参照）。
【００３４】
このとき、演出用容器２０内に、更に発光体２１を投入することで、演出用容器２０の内部や煙等の色彩等を変化させることができる。この発光体２１は、例えば水の中で発光するＬＥＤ仕様のライトなどを使用することが可能である。
【００３５】
図示の演出用容器２０は、支持台２２の上に載置して使用している（図１参照）。このように、演出用容器２０の仕様や他の部材との組合せなどにより、演出用容器２０の設計変更等は自由である。
【００３６】
尚、本考案は、図示例に限定されるものではなく、本考案の各構成は本考案の要旨を変更しない範囲において自由に変更できるものである。
【産業上の利用可能性】
【００３７】
本考案によると、結婚式の披露宴に限らず各種パーティー等の余興として使用することができる。
【符号の説明】
【００３８】
Ｐ  振出小物
Ｐ１  ドライアイス
Ｐ２  装飾用小物
１０  演出用小槌
１１  頭部
１２  小口
１３  開口部
１４  収納部
１５  振出調整具
１５Ａ  制止板
１５Ｂ  方向板
１６  保温材
２０  演出用容器
２１  発光体
２２  支持台
【図１】
0003154898.tif 000003
【図２】
0003154898.tif 000004
【図３】
0003154898.tif 000005